(57)【要約】【課題】信号処理回路に起因する原稿のサイズを検知するタイミングの遅れを低減する。【解決手段】圧板を開放する過程で角度検知信号（１）が立ち上がり、電源（２）が省電力状態からスタンバイ状態に移行し、サイズ検知信号（４）がオンになる。そして、圧板が閉鎖される際、角度検知信号（１）が立ち下がり、角度Ａのタイミングで光源（３）が点灯し、原稿のサイズ検知が行われ、角度Ｂまで閉じられるとサイズ検知信号（４）がオフとなってサイズが確定する。そして、光源（３）が消灯され、第１キャリッジのサイズ検知位置からホームポジションへの移動（７）が開始され、信号処理回路制御部のリセット状態が解除され（５）、このリセット解除をトリガとして信号処理回路の立ち上げ制御（６）が実行される。【選択図】図７
2006287901.tif 000002
【特許請求の範囲】
【請求項１】
原稿を照射する光源と、原稿により反射された光を受光して電気信号に変換する光電変換素子と、前記光電変換素子の出力を信号処理して出力する信号処理回路を備えた画像読取装置であって、
前記信号処理回路の立ち上げ完了前に、前記光源をオンにする光源制御部と、
そのときの前記光電変換素子の出力に基づき、原稿のサイズを検知する原稿サイズ検知部と、
を備えていることを特徴とする画像読取装置。
【請求項２】
前記信号処理回路が、前記光電変換素子の出力をデジタル信号に変換するＡＤＣ回路を含むことを特徴とする請求項１記載の画像読取装置。
【請求項３】
前記信号処理回路が、前記光電変換素子の出力のオフセットレベルを調整するオフセット調整回路を含むことを特徴とする請求項１記載の画像読取装置。
【請求項４】
前記信号処理回路が、前記光電変換素子の出力の直流クランプ処理をするクランプ回路を含むことを特徴とする請求項１記載の画像読取装置。
【請求項５】
前記信号処理回路が、前記光電変換素子の出力のゲインを調整するＡＧＣ回路を含むことを特徴とする請求項１記載の画像読取装置。
【請求項６】
前記光電変換素子を駆動する駆動回路をさらに備え、
前記光源制御部は前記駆動回路及び信号処理回路の立ち上げ完了前に、前記光源をオンにすることを特徴とする請求項１記載の画像読取装置。
【請求項７】
前記駆動回路が、駆動信号間のタイミングを調整するタイミング調整部とバッファ回路を含むことを特徴とする請求項６記載の画像読取装置。
【請求項８】
装置が省電力状態からスタンバイ状態に復帰するときに、前記信号処理回路の立ち上げを開始させる立ち上げ制御部を備えていることを特徴とする請求項１ないし７のいずれか１項に記載の画像読取装置。
【請求項９】
前記立ち上げ制御部は、前記信号処理回路とシリアル通信することを特徴とする請求項８記載の画像読取装置。
【請求項１０】
前記ＡＤＣ回路は、信号サンプリング位置が未調整でサンプリング動作を行う状態から信号安定期間にてサンプリングする状態になったときに、立ち上げを完了することを特徴とする請求項２記載の画像読取装置。
【請求項１１】
省電力復帰ＳＷと、
前記ＳＷの状態が変化した場合に、装置を前記省電力状態から前記スタンバイ状態に復帰させる電力制御部と、
を備えていることを特徴とする請求項８記載の画像読取装置。
【請求項１２】
前記オフセット調整回路は、黒レベルが未調整状態から所望の範囲のレベルに調整状態になったときに、前記信号処理回路の立ち上げを完了することを特徴とする請求項３記載の画像読取装置。
【請求項１３】
前記クランプ回路において、クランプレベルが未調整状態から、所望の範囲のレベルにクランプされた状態になったときに、前記信号処理回路の立ち上げを完了することを特徴とする請求項４記載の画像読取装置。
【請求項１４】
原稿台と原稿蓋間の角度を検出する角度検出部を備え、
前記角度検出部によって検出された検出角度が所定角度以上になった場合に、装置を前記省電力状態から前記スタンバイ状態に復帰させる電力制御部を備えていることを特徴とする請求項８記載の画像読取装置。
【請求項１５】
前記ＡＧＣ回路は、最大信号レベルに関わらず固定ゲインの状態から最大信号レベルに応じた適正なゲイン状態になったときに、前記信号処理回路の立ち上げを完了することを特徴とする請求項５記載の画像読取装置。
【請求項１６】
前記駆動回路は、駆動信号が未調整の初期設定の状態から通常読み取り時の駆動信号タイミングを発生する状態になったときに、前記信号処理回路の立ち上げを完了することを特徴とする請求項６または７記載の画像読取装置。
【請求項１７】
前記信号処理回路は、前記信号処理回路の立ち上げ完了前に前記光源をオンしたときの前記光電変換素子の出力を信号処理して出力した後に、当該信号処理回路の立ち上げを開始することを特徴とする請求項１ないし１６のいずれか１項に記載の画像読取装置。
【請求項１８】
前記ＡＤＣ回路は、装置が省電力状態からスタンバイ状態に復帰した際に、直ちに前記光電変換素子の出力をサンプリングできるように、信号出力期間での信号サンプリング動作を省電力状態からの復帰と同時に始動することを特徴とする請求項２記載の画像読取装置。
【請求項１９】
原稿のサイズを検知するために前記光源をオンし、前記信号処理回路で光電変換素子の出力信号を処理している期間は、前記信号処理回路に対する立ち上げ動作を待機する立ち上げ制御部を備えていることを特徴とする請求項１ないし１８のいずれか１項に記載の画像読取装置。
【請求項２０】
前記オフセット調整回路は、装置が省電力状態からスタンバイ状態に復帰した際に、直ちに前記光電変換素子の出力が飽和することなくＡＤ変換できるように、黒レベルを省電力状態からの復帰と同時に確定することを特徴とする請求項３記載の画像読取装置。
【請求項２１】
前記クランプ回路は、装置が省電力状態からスタンバイ状態に復帰した際に、直ちに前記光電変換素子の出力をクランプできるように、クランプ動作を省電力状態からの復帰と同時に始動することを特徴とする請求項４記載の画像読取装置。
【請求項２２】
電源立ち上げ時に立ち上げ動作時での白圧板の濃度レベルを本体側の不揮発性メモリに記憶し、原稿サイズ検知を行うときにこの値を基準に原稿の有無を判別する原稿サイズ検知部を備えていることを特徴とする請求項２１記載の画像読取装置。
【請求項２３】
前記原稿サイズ検知部は白圧板位置検出部を備え、当該白圧版位置検出部によって検出された白圧板の位置検出信号と白圧板の濃度データとの比較より原稿有無の判定レベルを決定することを特徴とする請求項２２画像読取装置。
【請求項２４】
前記原稿サイズ検知部は原稿サイズ検知のためのデータを取得後、立ち上げ動作の設定のまま再度白圧板のレベルを取得することを特徴とする請求項２２記載の画像読取装置。
【請求項２５】
前記ＡＧＣ回路は、装置が省電力状態からスタンバイ状態に復帰した際に、直ちに前記光電変換素子の出力が飽和することなくＡＤ変換できるように、ゲインを省電力状態からの復帰と同時に確定することを特徴とする請求項５記載の画像読取装置。
【請求項２６】
原稿台と原稿蓋の角度を検出する角度検出部を備え、
前記検出角度が所定角度以下になった場合に、前記光源制御部は、前記信号処理回路の立ち上げ完了前であっても、前記光源をオンにすることを特徴とする請求項１ないし２５のいずれか１項に記載の画像読取装置。
【請求項２７】
原稿台と原稿蓋の角度を検出する角度検出部を備え、
前記角度検出部によって検出された角度が第１の角度より大きい状態から前記第１の角度以下の状態になった場合に、前記光源制御部は前記信号処理回路の立ち上げ完了前であっても前記光源をオンし、前記検出角度が前記第２の角度（「第１の角度＞第２の角度」とする）以下になった場合に、前記信号処理回路により処理された前記光電変換素子の出力に基づいて原稿サイズの検知を行うことを特徴とする請求項１ないし２５のいずれか１項に記載の画像読取装置。
【請求項２８】
前記ＡＤＣ回路は、装置が省電力状態からスタンバイ状態に復帰した際に、直ちに前記光電変換素子の出力が得られるように、光電変換素子への駆動クロック出力動作が省電力状態からの復帰と同時に始動することを特徴とする請求項２記載の画像読取装置。
【請求項２９】
原稿台と原稿蓋の角度を検出する角度検出部を備え、
前記検出角度が所定角度以下になる前に画像形成開始指令が指示されたとき、前記光源をオンにし、画像データを取り込み、保持することを特徴とする請求項１ないし２５のいずれか１項に記載の画像読取装置。
【請求項３０】
請求項１ないし２９のいずれか１項に記載の画像読取装置を備えていることを特徴とす
る画像形成装置。
【発明の詳細な説明】
【技術分野】
【０００１】
本発明は、原稿の画像を光学的に読み取る画像読取装置及びこの画像読取装置を備えた画像形成装置に関する。
【背景技術】
【０００２】
昨今、省エネルギの観点から、省電力機能を備えた画像読取装置が提供されている。省電力機能は、画像読取装置の消費電力を節約する機能である。この省電力機能を備えた画像読取装置では、装置の電源投入後の立ち上げ動作を終えて、原稿の画像を直ちに読取可能な待機状態（以下、スタンバイ状態）にあるときに、所定の時間にわたって装置が使用されないなどの実質的な未使用状態が継続すると、自動的に省電力状態に移行する。省電力状態では、画像読取装置の所定箇所への電力供給を停止（電源オフ）することにより、電力の消費を抑えるようにしている。
【０００３】
また、省電力状態からスタンバイ状態に復帰するときに、画像読取手段で白基準板を読み取って所定の復帰処理を行う画像読取装置において、省電力状態に移行するのに先立って走査体を白基準板の下に移動させるものが特許文献１に開示されている。この文献には、原稿押さえ部材の閉じ動作時に、ランプを瞬間的に点灯して読み取った１ライン分の画像データに基づいて、原稿のサイズを自動的に検知することも記載されている。
【特許文献１】特開２００４−１０９６３９公報
【発明の開示】
【発明が解決しようとする課題】
【０００４】
前記特許文献１には、前述のように原稿サイズの自動検知について記載され、省電力状態から復帰動作に際して、原稿サイズ検知機能をより早いタイミングで有効に作動させることができるようにすることも記載され、原稿のサイズを検知するタイミングの遅れの要因として、走査体を白基準板の下に移動させることを挙げている。しかし、前記サイズ検知のタイミング遅れの遅れの要因はそれだけではない。
【０００５】
本発明は、このような従来技術の実状に鑑みてなされたもので、その目的は、信号処理回路に起因する、原稿のサイズを検知するタイミングの遅れを低減することにある。
【課題を解決するための手段】
【０００６】
前記目的を達成するため、第１の手段は、原稿を照射する光源と、原稿により反射された光を受光して電気信号に変換する光電変換素子と、前記光電変換素子の出力を信号処理して出力する信号処理回路を備えた画像読取装置であって、前記信号処理回路の立ち上げ完了前に、前記光源をオンにする光源制御部と、そのときの前記光電変換素子の出力に基づき、原稿のサイズを検知する原稿サイズ検知部とを備えていることを特徴とする。
【０００７】
第２の手段は、第１の手段において、前記信号処理回路が、前記光電変換素子の出力をデジタル信号に変換するＡＤＣ回路を含むことを特徴とする。
【０００８】
第３の手段は、第１の手段において、前記信号処理回路が、前記光電変換素子の出力のオフセットレベルを調整するオフセット調整回路を含むことを特徴とする。
【０００９】
第４の手段は、第１の手段において、前記信号処理回路が、前記光電変換素子の出力の直流クランプ処理をするクランプ回路を含むことを特徴とする。
【００１０】
第５の手段は、第１の手段において、前記信号処理回路が、前記光電変換素子の出力のゲインを調整するＡＧＣ回路を含むことを特徴とする。
【００１１】
第６の手段は、第１の手段において、前記光電変換素子を駆動する駆動回路をさらに備え、前記光源制御部は前記駆動回路及び信号処理回路の立ち上げ完了前に、前記光源をオンにすることを特徴とする。
【００１２】
第７の手段は、第６の手段において、前記駆動回路が、駆動信号間のタイミングを調整するタイミング調整部とバッファ回路を含むことを特徴とする。
【００１３】
第８の手段は、第１ないし第７の手段において、装置が省電力状態からスタンバイ状態に復帰するときに、前記信号処理回路の立ち上げを開始させる立ち上げ制御部を備えていることを特徴とする。
【００１４】
第９の手段は、第８の手段において、前記立ち上げ制御部は、前記信号処理回路とシリアル通信することを特徴とする。
【００１５】
第１０の手段は、第２の手段において、前記ＡＤＣ回路は、信号サンプリング位置が未調整でサンプリング動作を行う状態から信号安定期間にてサンプリングする状態になったときに、立ち上げを完了することを特徴とする。
【００１６】
第１１の手段は、第８の手段において、省電力復帰ＳＷと、前記ＳＷの状態が変化した場合に、装置を前記省電力状態から前記スタンバイ状態に復帰させる電力制御部とを備えていることを特徴とする。
【００１７】
第１２の手段は、第３の手段において、前記オフセット調整回路は、黒レベルが未調整状態から所望の範囲のレベルに調整状態になったときに、前記信号処理回路立ち上げを完了することを特徴とする。
【００１８】
第１３の手段は、第４の手段において、前記クランプ回路において、クランプレベルが未調整状態から、所望の範囲のレベルにクランプされた状態になったときに、前記信号処理回路の立ち上げを完了することを特徴とする。
【００１９】
第１４の手段は、第８の手段において、原稿台と原稿蓋間の角度を検出する角度検出部を備え、前記角度検出部によって検出された検出角度が所定角度以上になった場合に、装置を前記省電力状態から前記スタンバイ状態に復帰させる電力制御部を備えていることを特徴とする。
【００２０】
第１５の手段は、第５の手段において、前記ＡＧＣ回路は、最大信号レベルに関わらず固定ゲインの状態から最大信号レベルに応じた適正なゲイン状態になったときに、前記信号処理回路の立ち上げを完了することを特徴とする。
【００２１】
第１６の手段は、第６または第７の手段において、前記駆動回路は、駆動信号が未調整の初期設定の状態から通常読み取り時の駆動信号タイミングを発生する状態になったときに、前記信号処理回路の立ち上げを完了することを特徴とする。
【００２２】
第１７の手段は、第１ないし第１６のいずれかの手段において、前記信号処理回路は、立ち上げ完了前に前記光源をオンしたときの前記光電変換素子の出力を信号処理して出力した後に、立ち上げを開始することを特徴とする。
【００２３】
第１８の手段は、第２の手段において、前記ＡＤＣ回路は、装置が省電力状態からスタンバイ状態に復帰した際に、直ちに前記信号処理回路の光電変換素子の出力をサンプリングできるように、信号出力期間での信号サンプリング動作を省電力状態からの復帰と同時に始動することを特徴とする。
【００２４】
第１９の手段は、第１ないし第１８のいずれかの手段において、原稿のサイズを検知するために前記光源をオンし、前記信号処理回路で光電変換素子の出力信号を処理している期間は、前記信号処理回路に対する立ち上げ動作を待機する立ち上げ制御部を備えていることを特徴とする。
【００２５】
第２０の手段は、第３の手段において、前記オフセット調整回路は、装置が省電力状態からスタンバイ状態に復帰した際に、直ちに前記光電変換素子の出力が飽和することなくＡＤ変換できるように、黒レベルを省電力状態からの復帰と同時に確定することを特徴とする。
【００２６】
第２１の手段は、第４の手段において、前記クランプ回路は、装置が省電力状態からスタンバイ状態に復帰した際に、直ちに前記光電変換素子の出力をクランプできるように、クランプ動作を省電力状態からの復帰と同時に始動することを特徴とする。
【００２７】
第２２の手段は、第２１の手段において、電源立ち上げ時に立ち上げ動作時での白圧板レベルを本体側の不揮発性メモリに記憶し、原稿サイズ検知を行うときにこの値を基準に原稿の有無を判別する原稿サイズ検知部を備えていることを特徴とする。
【００２８】
第２３の手段は、第２２の手段において、前記原稿サイズ検知部は白圧板位置検出部を備え、当該白圧版位置検出部によって検出された白圧板の位置検出信号と白圧板の濃度データとの比較より原稿有無の判定レベルを決定することを特徴とする。
【００２９】
第２４の手段は、第２２の手段において、前記原稿サイズ検知部は原稿サイズ検知のためのデータを取得後、前記信号処理回路の立ち上げ動作の設定のまま再度白圧板のレベルを取得することを特徴とする。
【００３０】
第２５の手段は、第５の手段において、前記ＡＧＣ回路は、装置が省電力状態からスタンバイ状態に復帰した際に、直ちに前記光電変換素子の出力が飽和することなくＡＤ変換できるように、ゲインを省電力状態からの復帰と同時に確定することを特徴とする。
【００３１】
第２６の手段は、第１ないし第２５のいずれかの手段において、原稿台と原稿蓋の角度を検出する角度検出部を備え、前記検出角度が所定角度以下になった場合に、前記光源制御部は、前記信号処理回路の立ち上げ完了前であっても、前記光源をオンにすることを特徴とする。
【００３２】
第２７の手段は、第１ないし第２５のいずれかの手段において、原稿台と原稿蓋の角度を検出する角度検出部を備え、前記角度検出部によって検出された角度が第１の角度より大きい状態から前記第１の角度以下の状態になった場合に、前記光源制御部は前記信号処理回路の立ち上げ完了前であっても前記光源をオンし、前記検出角度が前記第２の角度（「第１の角度＞第２の角度」とする）以下になった場合に、前記信号処理回路により処理された前記光電変換素子の出力に基づいて原稿サイズの検知を行うことを特徴とする。
【００３３】
第２８の手段は、第２の手段において、前記ＡＤＣ回路は、装置が省電力状態からスタンバイ状態に復帰した際に、直ちに前記光電変換素子の出力が得られるように、光電変換素子への駆動クロック出力動作が省電力状態からの復帰と同時に始動することを特徴とする。
【００３４】
第２９の手段は、第１ないし第２５のいずれかの手段において、原稿台と原稿蓋の角度を検出する角度検出部を備え、前記検出角度が所定角度以下になる前に画像形成開始指令が指示されたとき、前記光源をオンにし、画像データを取り込み、保持することを特徴とする。
【００３５】
第３０の手段は、第１ないし第２９のいずれかの手段に係る画像読取装置を画像形成装置が備えていることを特徴とする。
【００３６】
なお、後述の実施形態において、光源は符号８に、光電変換素子はＣＣＤ１４に、信号処理回路は信号処理回路部２０に、光源制御部は主制御部５に、原稿サイズ検知部は符号２２に、ＡＤＣ回路はＡＤＣ回路部２９に、オフセット調整回路はオフセット調整回路部３０に、クランプ回路はクランプ回路部２７に、ＡＧＣ回路はＡＧＣ回路部（ＰＧＡ）２８に、駆動回路符号３５に、タイミング調整部は符号３５ａにバッファ部は符号３５ｂに、立ち上げ制御部は符号２５に、省電力復帰ＳＷは符号１８に、電力制御部は省電力制御部２３に、角度検出部は符号１６に、白圧板は符号６ａにそれぞれ対応する。
【発明の効果】
【００３７】
本発明によれば、信号処理回路の立ち上げ完了前に、光源をオンにする光源制御部と、そのときの光電変換素子の出力に基づき、原稿のサイズを検知する原稿サイズ検知部とを備えているので、信号処理回路に起因する原稿のサイズを検知するタイミングの遅れを低減することができる。
【発明を実施するための最良の形態】
【００３８】
以下、本発明の実施形態について図面を参照して説明する。
【００３９】
図１は本発明の実施形態に係る画像読取装置の概略構成を示す図である。同図において、画像読取装置１は筐体内部に第１及び第２キャリッジ２，３、光学エレメント４及び主制御部５を備え、本体上面にコンタクトガラス６と圧板（原稿蓋）７が設けられている。
【００４０】
第１キャリッジ２には、光源８及び第１ミラー９が搭載され、第２キャリッジ３いは第２ミラー１０及び第３ミラー１１が搭載されている。第１及び第２キャリッジ２，３はそれぞれ副走査方向（図示矢印Ｙ方向）に図示しない駆動モータによって移動するが、その際、第２キャリッジ３は第１キャリッジ２の１／２の速度で第１キャリッジ２に追従するように移動し、原稿面から光学エレメント４のＣＣＤ１３の結像面までの距離が一定になるように制御される。光学エレメント４は結像レンズ１２とＳＢＵ（スキャナ・ボード・ユニット）１３とを備え、ＣＣＤ（光電変換素子）１４はＳＢＵ１３上に搭載されている。
【００４１】
主制御部５は本体部１５に設けられている。また、コンタクトガラス６の原稿読み取りの始点よりも第１キャリッジ２の移動方向上流側に白圧板（白基準板）６ａが設けられ、シェーディング補正の基準をこの白圧板６ａの濃度に基づいて設定することができるようになっている。
【００４２】
図２は圧板７を開放したときの画像読取装置１と圧板７との関係を示す図である。この実施形態では、圧板７は装置の奥側で揺動自在（開閉自在）に支持され、基端部に近傍に圧板７の開放角を検出するための角度検出部１６が設けられている。
【００４３】
図３は図１及び図２に示した画像読取装置の制御構成の概略を示すブロック図である。
【００４４】
同図に示すように、制御系はＳＢＵ１３、光源８、角度検出部１６、省電力復帰ＳＷ１８、モータ制御部１９及び本体部１５とから基本的に構成されている。ＳＢＵ１３は、信号処理回路２０、信号処理回路制御部２１、原稿サイズ検知部２２及びＣＣＤ１４の駆動回路３５を含み、ＣＣＤ１４は信号処理回路２０に接続されている。本体部１５は主制御部５、省電力制御部２３及び画像処理部２４を含み、主制御部５は立ち上げ制御部２５をさらに含む。
【００４５】
光源８、例えばキセノンランプは主制御部５によって制御され、角度検出部１６の検出出力は主制御部５及び省電力制御部２３に入力される。省電力復帰ＳＷ１８は省電力制御部２３に接続され、モータ制御部１９は主制御部５によって制御される。信号処理回路２０の出力は本体部１５の画像処理部２４と原稿サイズ検知部２２に入力され、立ち上げ制御部２５はシリアル制御により信号処理回路制御部２１の立ち上げを制御する。また、原稿サイズ検知部２２及び信号処理回路２０の出力は共に本体部のシリアルポートへ出力される。
【００４６】
図４はＳＢＵ１３の内部構造を示すブロック図である。ＳＢＵ１３は、図３に示すように信号処理回路２０、信号処理回路制御部２１、原稿サイズ検知部２２及び駆動回路３５を含み、ＣＣＤ１４の後段にアナログ処理回路部２６が設けられ、ＣＣＤ１４のアナログ出力がアナログ処理回路部２６を介して信号処理回路部２０に入力される。ＣＣＤ１４は信号処理回路制御部２１の駆動信号に基づいて動作する駆動回路３５によって駆動される。信号処理回路部２０は、クランプ回路部２７、ＡＧＣ（オート・ゲイン・コントロール）回路部２８、ＡＤＣ（アナログ・デジタル・コンバータ）回路部２９、及びオフセット調整回路部３０からなる。アナログ処理回路部２６で増幅されたＣＣＤ１４の検出信号はクランプ回路部２７で直流クランプ処理され、ＡＧＣ回路部２８に入力される。直流クランプ処理とは、光電変換素子（ＣＣＤ）１４の出力の信号成分である交流（ＡＣ）成分のみ伝達させ、直流（ＤＣ）成分は光電変換素子の出力とは別の（所望の）電位を重畳する処理である。ＡＧＣ回路２８では、光電変換素子（ＣＣＤ）１４の出力信号の最大レベル（白レベル）のばらつきを吸収する目的で、ＡＤ変換後のデータがほぼ同じレベルになるようプログラマブルにゲインを設定する。ＡＧＣ回路部２８で所望のゲインに設定された信号はＡＤＣ回路部２９でＡＤ変換され、オフセット調整回路部３０と本体部１５の画像処理部２４に出力される。オフセット調整回路部３０では、オフセット調整を実行する。
【００４７】
オフセット調整とは、ＡＤ変換後のデータに対して黒の基準レベルを所望の数値に安定させる処理である。処理された信号は、ＡＧＣ回路部２８にフィードバックされる。
【００４８】
信号処理回路制御部２１は初期設定回路部３１、シリアルパラレル変換部３２、切替回路３３及び制御信号生成回路部３４とからなり、シリアルパラレル変換部３２には、立ち上げ制御部２５からシリアル制御信号が入力され、切替回路３３で初期設定回路部３１あるいはシリアルパラレル変換部３２とを切り替えて、制御信号生成回路部３４に入力する。なお、切替回路３３の切替は本体部１５側からのリセット信号に基づいて行われる。
【００４９】
図５は主制御部５の処理手順を示すフローチャートである。この処理では、所定時間不使用の場合、省電力へ移行し、その前に原稿読み取り部を原稿サイズ検知ポジションへ移動する。検出角度が所定角度以上になったことまたは省電力復帰ＳＷ押下を示す信号を受けて、スタンバイ状態へ復帰し、それに伴い、信号処理回路部２０へ立ち上げ信号を出力し、その後、適宜、信号処理回路部２０へ読取指示信号を出力する。
【００５０】
すなわち、通常待機状態（ステップＳ１０１）から省電力項時間が経過すると（ステップＳ１０２）、第１キャリッジ２を所定位置（原稿サイズ検知ポジション）に移動させ（
ステップＳ１０３）省電力モードに移行する（ステップＳ１０４）。省電力モードに入る
と、復帰要因を常に監視し（ステップＳ１０５）、角度検出部１６の検出出力から圧板７
が開放されたことを検知し、あるいは省電力復帰ＳＷ１８がオンされると（ステップＳ１
０６）、主制御部５を起動する（ステップＳ１０７）。次いで、圧板７が閉鎖されるタイ
ミングで光源８を点灯し（ステップＳ１０８）、原稿サイズ検知部２２で原稿サイズを検
知した（ステップＳ１０９）後、光源８を消灯する（ステップＳ１１０）。そして、第１
キャリッジ２をホームポジションに移動させ（ステップＳ１１１）、駆動回路３５及び信
号処理回路２０の立ち上げ動作を行い（ステップＳ１１２，Ｓ１１３）、原稿サイズ情報
を確認した（ステップＳ１１４）後、原稿の読み取り開始まで待機する。この処理工程で
、ステップＳ１０１からステップＳ１０４までの処理は主制御部５が、ステップＳ１０５
からステップＳ１０７までの処理は省電力制御部２３が、ステップＳ１０８からステップ
Ｓ１１４までの処理は主制御部５がそれぞれ実行する。
【００５１】
図６はＳＢＵ１３の処理手順を示すフローチャートである。この処理では、省電力モー
ドからの復帰時、主電源立ち上がり後リセット解除を受けると信号処理装置を初期化し、
検出角度が所定角度Ａ以上の状態から角度Ａ以下になったことを示す信号を受けて、光源
をオンする。さらに角度Ｂ以下になったことを示す信号を受けて光電変換素子の出力を信
号処理して、原稿サイズを検知する。その後、立ち上げ信号を受けると、信号処理回路の
立ち上げ開始し、その後、読取指示信号を受けると、光源をオンし、光電変換素子の出力
を信号処理して、画像処理部へ画像データを送る。
【００５２】
すなわち、省電力モードから復帰すると（ステップＳ２０１）、駆動回路３５及び信号
処理回路２０を初期設定回路部３１からの情報に基づいて初期設定する（ステップＳ２０
２）。この設定では、クランプ回路部２７についてはクランプ期間及びクランプパルス、
ＡＧＣ回路部２８についてはゲイン、オフセット調整回路部３０についてはオフセット検
出期間及び目標値、ＡＤＣ回路部２９についてはサンプリングクロックのそれぞれについ
て原稿の有無が判定できる状態に設定する。
【００５３】
そして、圧板７の角度を角度検出部１６によって検出し、圧板７の原稿台に対する角度
がＡ以下であれば（ステップＳ２０３）、光源８を点灯し（ステップＳ２０４）、ＡＤＣ
回路部２９の出力（ＡＤデータ）を取り込み（ステップＳ２０５）、圧板角度が前記角度
Ａよりも小さな角度Ｂ以下になった時点（ステップＳ２０６−Ｙ）で、原稿サイズ検知部
２２で原稿サイズを検知し、確定する（ステップＳ２１０）。一方、ステップＳ２０３で
圧板７の原稿台に対する角度がＡより大きい場合には、スタートキーがオンされた時点（
ステップＳ２０７−Ｙ）で、光源８を点灯して（ステップＳ２０８）ＡＤＣ回路部２９の
出力（ＡＤデータ）を取り込み（ステップＳ２０９）、原稿サイズ検知部２２で原稿サイ
ズを検知し、確定する（ステップＳ２１０）。
【００５４】
サイズが確定すると、光源８を消灯し（ステップＳ２１１）、第１キャリッジ２をホー
ムポジションに移動し（ステップＳ２１２）、駆動クロック及び信号処理回路制御部２１
のリセットを解除する（ステップＳ２１３）。すなわち、ステップＳ２０１からステップ
Ｓ２１２の各工程では、信号処理回路制御部２１はリセット状態となっている。
【００５５】
なお、ステップＳ２０３で圧板角度Ａ以下の場合、あるいは、そうでなければスタート
キーがオン（当然、圧板７は閉じられている）の場合に光源が点灯する（ステップＳ２０
４，Ｓ２０８）ようになっているが、これは、圧板７が完全に開けられている状態では光
源８を点灯せず、閉じようとする際に点灯させることによって、使用者の目に光が入りに
くいようにしている。
【００５６】
信号処理回路制御部２１のリセットが解除されると、信号処理回路部２０を含むＳＢＵ
１３の初期設定、すなわち立ち上げ動作を実行する（ステップＳ２１４）。立ち上げ動作
はクランプ回路部２７についてはクランプ期間及びクランプパルス、ＡＧＣ回路部２８に
ついてはゲイン、オフセット調整回路部３０についてはオフセット検出期間及び目標値、
ＡＤＣ回路部２９についてはサンプリングクロックのそれぞれについて通常の読み取り動
作が行われる状態に設定する。これらの設定が終了すると、原稿サイズ情報を確認し（ス
テップＳ２１５）、スタートキーがオンされた時点（ステップＳ２１６）で光源を点灯し
（ステップＳ２１７）、読取動作を開始して（ステップＳ２１８）読み取って得られてＡ
ＤデータをＡＤＣ変換部２９から画像処理部２４に出力する（ステップＳ２１９）。画像
処理部２４で処理された画像データに基づいて後述の画像形成装置において画像が形成さ
れる。
【００５７】
図７は図５及び図６の処理における検出角度信号（オフ→オン→オフ、オフになったば
かりの期間）、電力制御信号（省電力→スタンバイ）、サイズ検知信号（オフ→オン）、
立ち上がり信号（立ち上げ制御）、及び第１キャリッジ２の移動タイミングをそれぞれ示
すタイミングチャートである。
【００５８】
このタイミングチャートから分かるように、圧板７を開放する過程で角度検知信号（１
）が立ち上がり、電源（２）が省電力状態からスタンバイ状態に移行し（ステップＳ１０
６，Ｓ１０７）、サイズ検知信号（４）がオンになる。そして、圧板７が閉鎖される際、
角度検知信号（１）が立ち下がり、角度Ａのタイミングで光源８（３）が点灯し（ステッ
プＳ１０８，Ｓ２０３，Ｓ２０４）、原稿のサイズ検知が行われ（ステップＳ１０９，Ｓ
２０５）、角度Ｂまで閉じられると（ステップＳ２０６）サイズ検知信号（４）がオフと
なってサイズが確定する（ステップＳ２１０）。そして、光源８（３）が消灯され（ステ
ップＳ１１０，Ｓ２１１）、第１キャリッジ２のサイズ検知位置からホームポジションへ
の移動（７）が開始され（ステップＳ１１１，ステップＳ２１２）、信号処理回路制御部
２１のリセット状態が解除され（５）（ステップＳ２１３）、このリセット解除をトリガ
として信号処理回路２０の立ち上げ制御（６）が実行される（ステップＳ１１３，Ｓ２１
４）。
【００５９】
この間に第１キャリッジ２はホームポジションに達し、ホームポジションで待機してい
る。この待機時に光源８がＡＧＣ処理のため再び点灯され、ＡＧＣ処理のためのデータを
得る。そして、立ち上げが完了すると、再々度光源８が原稿読み取りのために点灯され、
読み取りがスタートし、第１キャリッジ２も副走査方向への読み取り走査を開始する。
【００６０】
図８は信号処理回路２０の立ち上げ動作を説明するための図で信号の出力タイミングを
示している。また、同図の上部には、回路構成を示している。図８において、信号処理回
路２０はクランプ回路部２７、ＡＧＣ回路部（ＰＧＡ−Programable gain amplifier）２
８、ＡＤＣ回路部２９及びオフセット調整回路部３０からなり、オフセット調整回路部３
０はオフセットレベル設定部３０ａと、ＤＡＣ（digital analog convertor)３０ｂとか
らなり、クランプ出力とＤＡＣ出力が加算器３０ｃによって加算されてＰＧＡ２８に入力
される。ＣＣＤ１４はタイミング調整部３５ａ及びバッファ部３５ｂを備えた駆動回路３
５によって駆動され、ＣＣＤ出力はアナログ回路２６を介してクランプ回路２７に入力さ
れる。
【００６１】
このときの各部の動作タイミングは、先ず、電源（１）がオンされ、駆動回路３５のＳ
Ｈ信号（１４）、ＰＨ信号（１５）が立ち上がり、これに基づいてＣＣＤ出力（１６）、
アナログ回路出力（１７）、クランプ回路出力（１９）がそれぞれ立ち上がり、また、Ｐ
ＧＡ回路の入出力（２０）、（２１）が立ち上がる。
【００６２】
ＣＣＤ出力（１６）は１ライン毎に出力が生じるが、アナログ回路出力（１７）はＣＣ
Ｄ出力（１６）を増幅するため、ＣＣＤ１６からの読み取り出力の前にも出力レベルが上
がる。この出力をクランプ回路２７でクランプ回路出力（１９）としてクランプし、この
クランプ回路出力（１９）に基づいてＰＧＡ回路入力（２０）で黒レベルの調整が行われ
、ＰＧＡ回路出力（２１）ゲインの調整が行われる。クランプ回路部２７では、クランプ
パルス出力期間（１８）が最適化される。
【００６３】
一方、光源７はＣＣＤ１４が立ち上がった後、オンされ、信号処理回路リセット信号（
１２）がリセット解除状態になる過程で、クランプパルス出力期間（１８）の最適化、ク
ランプ回路出力（１９）のクランプパルス、ＰＧＡ回路入力（２０）の黒レベルの調整、
ＰＧＡ回路出力（２１）のゲインの調整、ＡＤサンプリングクロック出力期間（２２）の
位相調整がそれぞれ行われ、通常の読み取り動作が行われる状態になる。このとき、ＡＤ
Ｃ回路２９のサンプリングポイント（２３）もサンプリングクロックの立ち上がり時でピ
ーク値をサンプリングできるようなタイミングに設定される。このようにＳＢＵ１３の信
号処理回路２０は、立ち上げ完了前に光源８をオンした時のＣＣＤ１４の出力（原稿サイ
ズ検知の元情報）を信号処理して出力した後に、立ち上げを開始する。また、ＡＤＣ回路
２９は、装置が省電力状態からスタンバイ状態に復帰した際に、直ちにＣＣＤ１４の出力
をサンプリングできるように、信号出力期間での信号サンプリング動作を省電力状態から
の復帰と同時に始動する。この始動は、ＳＢＵ１３に対して外部からのリセット信号が解
除されることのみで状態が確定する回路、または主電源立ち上がりにより状態が確定する
回路によって省電力状態からの復帰と同時にサンプリング状態が確定するように構成する
ことにより実現できる。
【００６４】
したがって、信号サンプリング動作を省電力状態からの復帰と同時に始動するために、
前記のような機能を有する図示しない回路が設けられている。同様にクランプ回路部２７
も、省電力状態からスタンバイ状態に復帰した際に、直ちにＣＣＤ１４の出力をクランプ
できるように、クランプ動作を省電力状態からの復帰と同時に始動する。この始動も、Ｓ
ＢＵ１３に対して外部からのリセット信号が解除されることのみで状態が確定する回路、
または主電源立ち上がりにより状態が確定する回路によって省電力状態からの復帰と同時
にクランプ状態が確定するように構成することにより実現できる。したがって、クランプ
動作を省電力状態からの復帰と同時に始動するために、前記のような機能を有する図示し
ない回路が設けられている。同様にＰＧＳ（ＡＧＣ回路）は、省電力状態からスタンバイ
状態に復帰した際に、直ちにＣＣＤ１４の出力が飽和することなくＡＤ変換できるように
、ゲインを省電力状態からの復帰と同時に確定する。この確定は、ＳＢＵ１３に対して外
部からのリセット信号が解除されることのみで状態が確定する回路、または主電源立ち上
がりにより状態が確定する回路によって省電力状態からの復帰と同時にゲイン状態が確定
するように構成することにより実現できる。したがって、ゲインを省電力状態からの復帰
と同時に始動するために、前記のような機能を有する図示しない回路が設けられている。
【００６５】
図５のフローチャートに示すように、ステップＳ１０９において原稿サイズ検知部２２
で原稿のサイズ検出を行っているが、この時点では、信号処理回路２０は立ち上げられて
いない。信号処理回路２０の立ち上げ動作はステップＳ１１３で行われる。この点は、図
６のフローチャートにおいてもステップＳ２１０で原稿サイズ検知部でサイズを確定した
後、ステップＳ２１４で信号処理回路の立ち上げを行っている。すなわち、本実施形態で
は、図７のタイミングチャートから分かるように信号処理回路２０の立ち上げ開始前にサ
イズ情報を信号処理していることになる。これは図４に示した初期設定回路部３１の機能
に基づく。
【００６６】
図９は図４の詳細を示すブロック図である。信号処理回路２０は図８に示した通りであ
り、この信号処理回路２０に対して信号処理回路制御部２１がクランプ回路部２７、ＰＧ
Ａ２８、オフセットレベル設定部３０ａ及びＡＤＣ２９にそれぞれ制御信号（クロック、
パルス、コマンドなど）を生成し、出力する。切替回路３３は制御信号生成回路３４に対
して各制御信号の状態を設定する信号を選択的に出力する回路であり、本体部１５から入
力されてくるリセット信号がアクティブ状態（リセット時）は、初期設定回路部３１から
の設定信号を選択し、そうでないときには立ち上げ制御部２５からのシリアル制御信号を
選択する。なお、図９は切替回路３３はリセット期間の状態を示している。
【００６７】
初期設定回路部３１は、電源立ち上げのみで設定信号（出力）が確定する回路で、リセ
ット期間のみ制御信号生成回路３４に対して作用する。初期設定回路部３１による設定に
より制御信号生成回路部３４はリセット期間中に信号処理回路２０に対して少なくとも原
稿の有無が判別できるような出力信号が得られる状態に設定される。また、制御信号生成
回路３４は、ＣＣＤ１４の駆動回路３５に対してＣＣＤ１４の蓄積時間、電荷転送クロッ
ク、リセットパルス及びビットクランプパルス等の制御信号を出力し、ＣＣＤ１４の駆動
制御機能も備えている。
【００６８】
このように本実施形態では、信号処理回路２０の立ち上げ完了を待たずに光源８をオン
にしてＣＣＤ（光電変換素子）から出力することにより、信号処理回路２０の立ち上げ完
了を待たずに、原稿のサイズを検知するために必要な信号を得ることができる。これによ
り、信号処理回路２０の立ち上げ時間に起因する原稿のサイズ検知タイミングの遅れを低
減することができる。なお、原稿のサイズを検知するために必要な信号を得てさえおけば
、当該信号に基づき原稿サイズ検知部２２が原稿のサイズを検知するのは、後でも良い。
【００６９】
また、立ち上げ制御部２５と信号処理回路制御部２１のシリアル通信に起因して、信号
処理回路２０の立ち上げはさらに遅れる虞があるが、立ち上げ制御部２５は省電力状態か
らスタンバイ状態に復帰するときに、前記信号処理回路の立ち上げを開始させるので、立
ち上がり遅れによる影響を回避できる。
【００７０】
図１０はサイズ情報を信号処理中に立ち上げ開始が発生した場合の処理手順を示すフロ
ーチャートである。  
同図において、通常待機状態（ステップＳ３０１）から省電力項時間が経過すると（ス
テップＳ３０２）、第１キャリッジ２を所定位置（原稿サイズ検知ポジション）に移動さ
せ（ステップＳ３０３）省電力モードに移行する（ステップＳ３０４）。省電力モードに
入ると、復帰要因、ここでは圧板７の開閉を角度検知部１６で常に監視し（ステップＳ３
０５）、角度検出部１６の検出出力から圧板７が開放されたこと、ここでは、角度が前記
Ｂ以上になったことを検知すると（ステップＳ３０６）省エネルギモードから復帰し（ス
テップＳ３０７）、信号処理回路制御部２１のリセットが解除される。
【００７１】
そして、圧板７の角度を角度検出部１６によって検出し、圧板７の原稿台に対する角度
がＡ以下であれば（ステップＳ３０８）、光源８を点灯し（ステップＳ３０９）、ＡＤＣ
回路部２９の出力（ＡＤデータ）を取り込み（ステップＳ３１０）、圧板角度が前記角度
Ａよりも小さな角度Ｂ以下になった時点（ステップＳ３１０−Ｙ）で、原稿サイズ検知部
２２で原稿サイズを検知し、確定する（ステップＳ３１５）。一方、ステップＳ３０８で
圧板７の原稿台に対する角度がＡより大きい場合には、スタートキーがオンされた時点（
ステップＳ３１２−Ｙ）で、光源８を点灯して（ステップＳ３１３）ＡＤＣ回路部２９の
出力（ＡＤデータ）を取り込み（ステップＳ３１４）、原稿サイズ検知部２２で原稿サイ
ズを検知し、確定する（ステップＳ３１５）。いずれにしてもサイズが確定すると、光源
８を消灯し（ステップＳ３１６）、第１キャリッジ２をホームポジションに移動し（ステ
ップＳ３１７）、信号処理回路を含むＳＢＵ１３の立ち上げ動作を実行する（ステップＳ
３１８）。そして、原稿サイズ情報を確認し（ステップＳ３１９）。スタートキーの押し
下げを待ち（３２０）。スタートキーが押されると読み取り動作を開始する。
【００７２】
この図１０のフローチャートでは、ステップＳ３０８及びステップＳ３１２から分かる
ように、省電力状態からの復帰後、圧板７の角度がＡ以下になるか、スタートキーが押さ
れない限り、ステップＳ３１８で信号処理回路２０に対して立ち上げ動作が実行されるこ
とはなく、原稿サイズ情報を信号処理している最中に立ち上げ動作が開始されることはな
い。また、ステップＳ３２０でスタートキーオンが読み取り動作開始条件となっているこ
とから、ステップＳ３０６で圧板７が開放されたときに、一度スタートキーがオンされた
としても（ステップＳ３１２）、再度スタートキーがオンされないと（ステップＳ３２０
）、読み取り動作は開始されないことになる。
【００７３】
図５の処理では、立ち上げ制御部２５においてある程度の画像出力が得られるような形
とし、このデータより原稿サイズ検知を行っている。そこで、さらに精度を向上させるた
めに白圧板のデータを比較対象とする。
【００７４】
基準を得るため、電源立ち上げ時もしくは生産時において立ち上げ動作中に得られる白
圧板のレベルを不揮発性メモリに記憶する。メモリは本体側、原稿サイズ検知部どちらで
も良い。省電力状態から圧板開閉動作による復帰が行われる場合、圧板閉の直前に光源を
点灯し（ステップＳ１０８）画像データを得ることによって原稿有無（原稿あり箇所はレ
ベルが出る。無の箇所はレベルは暗レベル）を検出する。しかしながら、極端に濃度の濃
い原稿や外乱によるレベル等が発生すると単純検出では検出できなくなる。そこで、先に
取得した白圧板レベルを基準とし原稿有無を判別する。基準を設けることができるので検
出精度が向上する。
【００７５】
図１１は電源立ち上げ時に立ち上げ動作時での白圧板レベルを本体側の不揮発性メモリ
に記憶し、原稿サイズ検知を行うときにこの値を基準に原稿の有無を判別する制御手順を
示すフローチャートである。なお、図１１（ａ）は読み取り開始までの主制御部５の処理
手順を示し、図１１（ｂ）はスキャナの制御手順を示すフローチャートである。また、図
１１（ａ）は図５に示したフローチャートのステップＳ１０９の「原稿サイズ検知部でサ
イズ検知」という処理ステップの実施例を具体的に示したもので、その他の各処理ステッ
プは図５と同様なので、重複する説明は省略する。この処理では、ステップＳ１０８で光
源８を点灯し、原稿サイズ検知部２２で信号レベルを検出する（ステップＳ１０９ａ）。
【００７６】
そして、白圧板６ａを読み取った濃度レベルと比較し（ステップＳ１０９ｂ）、原稿の有
無を判別し（ステップＳ１０９ｃ）、その判別結果を不揮発性メモリに記憶する。次いで
、ステップＳ１１０以降の処理を実行する。
【００７７】
ステップＳ１０９ａの信号レベルの検出は、図１１（ｂ）のフローチャートに示した手
順で実行される。すなわち、電源がオンされると、立ち上げ動作が行われ（ステップＳ４
０１）、第１キャリッジ２は白圧板６ａの位置、言い換えれば白圧板６ａの濃度を読み取
ることができる位置まで副走査方向に移動する（ステップＳ４０２）。そして、白圧板６
ａの濃度レベルを取得し（ステップＳ４０３）、第１キャリッジ２を予め設定された正規
位置に移動させ（ステップＳ４０４）、読み取り関連の設定を正規（予め設定された初期
値）に設定し（ステップＳ４０５）待機する（ステップＳ４０６）。
【００７８】
このようにして白圧板６ａの濃度を読み込んでおくことによりステップＳ１０９ｂで原
稿サイズ検知部で検出した濃度レベルとの比較が可能になり、原稿の有無が判別できる。
【００７９】
また、信号処理回路２２の立ち上げ完了を待たずに光源８をオンにしてＣＣＤ（光電変換
素子）１４から出力することにより、信号処理回路２２の立ち上げ完了を待たずに、原稿
のサイズを検知するために必要な信号を得ることができる。これにより、信号処理回路２
２の立ち上げ時間に起因して、原稿のサイズを検知するタイミングの遅延を低減すること
ができる。さらに、白圧板６ａの濃度（基準）を得ることができるので濃度の極端に濃い
原稿等でも検出可能となる。また、圧板開閉による省電力復帰時に、本体の正常立ち上げ
前の立ち上げ動作の正規動作ではない状態で画像データを読み取るので、本体側の立ち上
げ時間によらず、また固有のセンサを持たずに原稿サイズを検知する
上記実施形態では、ステップＳ１０９ｄで原稿有無の判別結果を記憶するために不揮発
性メモリを使用しているが、このためにメモリを所有するとその分コストが高くなる。そ
こで、立ち上げ動作時の走行体移動中に通過する白圧板の位置を認識し、走行体移動中に
白圧板データを取得すればメモリは不要となる。すなわち、白圧板の認識は省電力移行時
に移動した所定位置からの移動距離を計測することによって可能となる（モータのパルス
数による移動距離算出）。
【００８０】
このように構成したときの処理手順を図１２のフローチャートに示す。このフローチャ
ートは図５のフローチャートのステップＳ１０９の「原稿サイズ検知部でサイズ検知」と
いう処理ステップの他の実施例を具体的に示したもので、その他の各処理ステップは図５
と同様なので重複する説明は省略する。この処理では、ステップＳ１０８で光源８を点灯
し、原稿サイズ検知部２２で信号レベルを検出し（ステップＳ１０９ａ）、第１キャリッ
ジ２（走行体）を移動させて（ステップＳ１０９ｅ）移動距離を計測する（ステップＳ１
０９ｆ）。そして、白圧板６ａ位置に達すると（ステップＳ１０９ｇ）、当該位置で信号
レベルを取得する（ステップＳ１０９ｈ）。次いで、原稿有無検出位置でのデータと比較
し（ステップＳ１０９ｉ）、原稿の有無を判別し（ステップＳ１０９ｃ）、結果を記憶す
ることなくステップＳ１１０以降の処理を実行する。なお、添え字が同じ処理ステップは
図１１の処理ステップと同じ処理である。
【００８１】
このように処理することにより、不揮発性メモリを持たなくとも原稿の有無を判断し、
図１１の場合と同様に処理することが可能となる。
【００８２】
図１２の処理では、第１キャリッジ２（走行体）移動中に白圧板の濃度レベルを取得す
るが、システムによっては立ち上げ動作中では白圧板位置が特定できない場合も考えられ
る。この場合、立ち上げ動作時にデータのみを取得しておき、立ち上げ動作後にデータ出
力は立ち上げ動作中のレベルのままで白圧板６ａ位置まで第１キャリッジ２（走行体）を
移動させ、白圧板の濃度レベルを取得し、このデータを比較対象として原稿有無を判別す
ることもできる。その際、立ち上げ動作後ではあるが読取部の設定は白圧板６ａの濃度デ
ータ取得するまでは立ち上げ動作時のままとし、サイズ検知終了後に正常データが出る設
定に変更することによって正常読み取りが可能な状態とする。
【００８３】
このように構成したときの処理手順を図１３のフローチャートに示す。このフローチャートは、図５のフローチャートのステップＳ１０９の「原稿サイズ検知部でサイズ検知」という処理ステップに代えて図１２のステップＳ１０９ａとステップＳ１０９ｅとし、ステップＳ１１１とステップＳ１１２の処理の間にステップＳ１１１ａないしステップＳ１１１ｅの処理を行うようにしたもので、その他の各処理ステップは図５に示したフローチャートと同様である。
【００８４】
すなわち、ステップＳ１０８で光源８を点灯し、原稿サイズ検知部２２で信号レベルを検出し（ステップＳ１０９ａ）、第１キャリッジ２（走行体）を移動させる（ステップＳ１０９ｅ）。次いで、光源８を消灯し（ステップＳ１１０）、第１キャリッジ２をホームポジションに移動させた（ステップＳ１１１）後、第１キャリッジ２を白圧板６ａ位置に移動させる（ステップＳ１１１ａ）。そして、画像処理回路２０の立ち上げ動作開始前の白圧板レベルを取得し（ステップＳ１１１ｂ）、白圧板の濃度レベルとステップＳ１０９ａで検出した原稿サイズ検知部の信号レベルとを比較する（ステップＳ１１１ｃ）。この比較結果に基づいて原稿の有無を判別し（ステップＳ１１１ｄ）、判別結果をメモリに記憶する（ステップＳ１１１ｅ）。その後、信号処理回路２０の立ち上げ動作が行われ（ステップＳ１１２）、原稿サイズ情報が確認（ステップＳ１１３）された後、原稿の読み取りを開始するために待機する。
【００８５】
このように処理すると、主制御部が起動し、第１キャリッジ２（走行体）が移動した後、第１キャリッジ２がホームポジションに移動し、その後、白圧板６ａ位置に移動するので、白圧板位置を確定させることが容易に行える。  
図１４は図６に示したＳＢＵ１３の他の処理手順を示すフローチャートである。この処理では、省電力モードからの復帰時、主電源立ち上がり後リセット解除を受けると駆動回路及び信号処理装置を初期化し、検出角度が所定角度Ａ以上の状態でスタートキーが押下されると、複数ライン分の画像データを原稿サイズ検知部に保持する。立ち上げ動作完了後、保持データの変動量を算出して原稿サイズを確定する。その後、読み取り指示信号を受け取ると、光源をオンし、光電変換素子の出力を信号処理して画像処理部へ画像データを送る。
【００８６】
図６の処理手順と重複する処理もあるが、図１４の最初から説明する。すなわち、省電力モードから復帰すると（ステップＳ２０１）、駆動回路３５及び信号処理回路２０を初期設定回路部３１からの情報に基づいて初期設定する（ステップＳ２０２）。この設定では、駆動回路部３５については蓄積時間、電荷転送クロック、リセットパルス及びビットクランプパルス、クランプ回路部２７についてはクランプ期間及びクランプパルス、ＡＧＣ回路部２８についてはゲイン、オフセット調整回路部３０についてはオフセット検出期間及び目標値、ＡＤＣ回路部２９についてはサンプリングクロックのそれぞれについて原稿の有無が判定できる状態に設定する。
【００８７】
そして、圧板７の角度を角度検出部１６によって検出し、圧板７の原稿台に対する角度がＡ以下であれば（ステップＳ２０３）、光源８を点灯し（ステップＳ２０４）、ＡＤＣ回路部２９の出力（ＡＤデータ）を取り込み（ステップＳ２０５）、圧板角度が前記角度Ａよりも小さな角度Ｂ以下になった時点（ステップＳ２０６−Ｙ）で、原稿サイズ検知部２２で原稿サイズを検知し、確定する（ステップＳ２１０）。一方、ステップＳ２０３で圧板７の原稿台に対する角度がＡより大きい場合には、スタートキーがオンされた時点（ステップＳ２０７−Ｙ）で、光源８を点灯して（ステップＳ２０８）ＡＤＣ回路部２９の出力（ＡＤデータ）を取り込み（ステップＳ２０９）、取り込んだデータが規定ライン数に達しているか否かをチェックし（ステップＳ２０９−１）、規定ライン数に達していなければステップＳ２０９のＡＤデータ取り込みを繰り返し、規定ライン数に達すると原稿サイズ検知部２２で原稿サイズを検知し、確定する（ステップＳ２１０）。
【００８８】
サイズが確定すると、光源８を消灯し（ステップＳ２１１）、駆動クロック及び信号処理回路制御部２１のリセットを解除する（ステップＳ２１３）。すなわち、ステップＳ２０１からステップＳ２１１の各工程では、信号処理回路制御部２１はリセット状態となっている。
【００８９】
信号処理回路制御部２１のリセットが解除されると、信号処理回路部２０を含むＳＢＵ１３の初期設定、すなわち立ち上げ動作を実行する（ステップＳ２１４）。立ち上げ動作は、駆動回路部３５については蓄積時間、電荷転送クロック、リセットパルス及びビットクランプパルス、クランプ回路部２７についてはクランプ期間及びクランプパルス、ＡＧＣ回路部２８についてはゲイン、オフセット調整回路部３０についてはオフセット検出期間及び目標値、ＡＤＣ回路部２９についてはサンプリングクロックのそれぞれについて通常の読み取り動作が行われる状態に設定する。これらの設定が終了すると、サイズデータの変動の有無を確認し（ステップＳ２１４−１）原稿サイズ情報を確定した後（ステップＳ２１５）、第１キャリッジ２をホームポジションに移動させる（ステップＳ２１２）。そして、スタートキーがオンされた時点（ステップＳ２１６）で光源を点灯し（ステップＳ２１７）、読取動作を開始して（ステップＳ２１８）読み取って得られてＡＤデータをＡＤＣ変換部２９から画像処理部２４に出力する（ステップＳ２１９）。画像処理部２４で処理された画像データに基づいて後述の画像形成装置において画像が形成される。
【００９０】
このように信号処理回路２０の立ち上げ完了を待たずに光源をオンにして（ステップＳ２０８）光電変換素子（ＣＣＤ）１４から出力することにより、信号処理回路２０の立ち上げ完了を待たずに原稿のサイズを検出ために必要な信号を得ることができるので、信号処理回路２０の立ち上げ時間に起因する原稿サイズ検知タイミングの遅れを低減することができる。また、外光による影響のため原稿サイズを誤検知することを防止することができる。なお、原稿のサイズを検知するために必要な信号を得てさえいれば、当該信号に基づいて原稿サイズ検知部２２が原稿のサイズを検知するのは後でも良い。
【００９１】
また、原稿がセットされている部分に相当する画素あるいは外光入射の影響がない画素における画素データ出力レベルは、画像データ自身のノイズ成分のみの変動であり、その変動分は僅かである。室内の照明として使用されている蛍光灯などから外光が入射された場合、画像データは光源の点灯周期によって大きく変動する。そこで、信号処理回路２０でＡＤデータを規定ライン数まで取り込んで（ステップＳ２０９，Ｓ２０９−１）原稿サイズ検知部２２で（前記規定ライン数−複数ライン数）保持し、各画素における変動分を算出することによって規定値以上、例えば、画像データのノイズ成分以上の変動が検出されたエリアについては原稿なしとして変動量の少ない部分のみを原稿サイズ検知エリアの対象とする。これにより正確な原稿サイズ検知を行うことができる。
【００９２】
したがって、図１４に示した処理手順のように処理すると、信号処理回路に起因する原稿のサイズを検知するタイミングの遅れを低減することができるだけでなく、原稿サイズ検知タイミングにおける外光入射によるサイズ誤検知を防止することができる。
【００９３】
これまでに述べた画像読取装置は、例えばネットワークに接続されてプリンタやデジタル複合機などの画像形成装置から出力され、また、画像形成装置に一体または別体に付設され、読み取った画像を記録用紙に印字して出力する際に使用される。画像形成装置としては、例えば電子写真方式の画像形成装置やインクジェット方式の画像形成装置など、公知の方式もしくは構成の画像形成装置を使用することができる。
【図面の簡単な説明】
【００９４】
【図１】本発明の実施形態に係る画像読取装置の概略構成を示す図である。
【図２】圧板７を開放したときの画像読取装置１と圧板７との関係を示す図である。
【図３】図１及び図２に示した画像読取装置の制御構成の概略を示すブロック図である。
【図４】図３におけるＳＢＵの内部構造を示すブロック図である。
【図５】主制御部の処理手順を示すフローチャートである。
【図６】ＳＢＵの処理手順を示すフローチャートである。
【図７】図５及び図６の処理における検出角度信号、電力制御信号、サイズ検知信号、立ち上がり信号及び第１キャリッジ２の移動タイミングをそれぞれ示すタイミングチャートである。
【図８】信号処理回路の立ち上げ動作を説明するための信号の出力タイミングを示す図である。
【図９】図４の詳細を示すブロック図である。
【図１０】サイズ情報を信号処理中に立ち上げ開始が発生した場合の処理手順を示すフローチャートである。
【図１１】電源立ち上げ時に立ち上げ動作時での白圧板レベルを本体側の不揮発性メモリに記憶し、原稿サイズ検知を行うときにこの値を基準に原稿の有無を判別する制御手順を示すフローチャートである。
【図１２】図１１の処理をメモリ不要で行うようにしたときの制御手順を示すフローチャートである。
【図１３】図１２の処理を白圧板の位置まで確実に第１キャリッジが移動して白圧板を読むようにした制御の制御手順を示すフローチャートである。
【図１４】ＳＢＵの他の処理手順を示すフローチャートである。
【符号の説明】
【００９５】
１  画像読取装置
２  第１キャリッジ
３  第２キャリッジ
４  光学エレメント
５  主制御部
６  コンタクトガラス
６ａ  白圧板（白基準板）
７  圧板（原稿蓋）
８  光源
１３  ＳＢＵ
１４  ＣＣＤ（光電変換素子）
１５  本体部
１６  角度検出器
１８  省電力復帰ＳＷ
１９  モータ制御部
２０  信号処理回路部
２１  信号処理回路制御部
２３  省電力制御部
２４  画像処理部
２５  立ち上げ制御部
２６  アナログ回路処理部
２７  クランプ回路部
２８  ＡＧＣ回路部
２９  ＡＤＣ回路部
３０  オフセット調整回路部
３１  初期設定回路
３２  シリアルパラレル変換器
３３  切替回路
３４  制御信号生成回路
３５  駆動回路
３５ａ  タイミング調整部
３５ｂ  バッファ部
【図１】
2006287901.tif 000003
【図２】
2006287901.tif 000004
【図３】
2006287901.tif 000005
【図４】
2006287901.tif 000006
【図５】
2006287901.tif 000007
【図６】
2006287901.tif 000008
【図７】
2006287901.tif 000009
【図８】
2006287901.tif 000010
【図９】
2006287901.tif 000011
【図１０】
2006287901.tif 000012
【図１１】
2006287901.tif 000013
【図１２】
2006287901.tif 000014
【図１３】
2006287901.tif 000015
【図１４】
2006287901.tif 000016